(57)【要約】【課題】本発明は、プロジェクタ検査用の調整補助装置であって、市場要求に応じて迅速に配備することができ、かつ、増設コストが低廉であり、さらに、配備のためのスペースを小さくできる調整補助装置を提供すること。【解決手段】暗室１０と、暗室１０の外側に配置され、半製品のプロジェクタ１００を載置するための検査用架台３０を有し、検査用架台３０は、プロジェクタ１００を配置するプロジェクタ配置部Ｐと、プロジェクタ１００を覆うプロジェクタ保護部材３４と、プロジェクタ保護部材内に清浄な空気を送風するための空気清浄化装置４０と、を有し、プロジェクタ配置部Ｐは、プロジェクタ１００が配置されたときに、プロジェクタ１００の投射レンズ１００ｂが作業用開口１２が形成する面と接する位置として規定されている。【選択図】図１
2007249145.tif 000002
【特許請求の範囲】
【請求項１】
プロジェクタの光軸とコントラスト調整用の調整補助装置であって、
暗室と、
前記暗室の外側に配置され、半製品のプロジェクタを載置するための検査用架台を有し
、
前記暗室は、
スクリーンが配置されるスクリーン配置部と、
前記スクリーン配置部に対向する作業用開口と、
側壁部と、
底部と、
天井部と、
を有し、
前記作業用開口と前記スクリーン配置部との距離は、前記プロジェクタが前記スクリー
ンに対して投射光を投射して像を形成するために必要な距離に基づいて規定されており、
前記検査用架台は、
前記プロジェクタを配置するプロジェクタ配置部と、
前記プロジェクタを覆うプロジェクタ保護部材と、
前記プロジェクタ保護部材内に清浄化した空気を送風するための空気清浄化装置と、
を有し、
前記プロジェクタ配置部は、前記プロジェクタが配置されたときに、前記プロジェクタ
の投射レンズが前記作業用開口が形成する面と接する位置として規定されていることを特
徴とする調整補助装置。
【請求項２】
前記プロジェクタ配置部には、光の反射を防止するための遮光板が配置されており、
前記遮光板は、前記投射レンズから投射される投射光を通過させる入射孔を有すること
を特徴とする請求項１に記載の調整補助装置。
【請求項３】
前記暗室は、
前記作業用開口に配置された遮光カーテンを有し、
前記遮光カーテンは、
前記プロジェクタからの投射光を通過させるための入射用開口を有し、
前記プロジェクタ配置部は、前記プロジェクタが配置されたときに、前記プロジェクタ
の投射レンズが前記遮光用カーテンの前記入射用開口に対応する位置として規定されてい
ることを特徴とする請求項１に記載の調整補助装置。
【発明の詳細な説明】
【技術分野】
【０００１】
本発明は、プロジェクタの調整において使用される調整補助装置に関するものである。
【背景技術】
【０００２】
従来、プロジェクタからスクリーンに投射された投射像を観測して、プロジェクタ内部
の部品の位置の調整が行われている。
このような調整には、例えば、光軸の調整やコントラストの調整等がある。これらの調
整の精度を確保するために、これらの調整は外部からの光による外乱を遮断することがで
きる暗室において行われる。この暗室と、プロジェクタを載置する検査用架台（作業机と
も呼ぶ）から調整補助装置が構成される。
これらの調整補助装置は、多種の検査を行う工程ごとに必要であるため、検査の種類に
応じて多数必要である。このため、プロジェクタ製造工場において、調整補助装置のため
に大きなスペースが必要となるという問題がある。
これに対して、収束レンズ、透過型スクリーン、ＣＣＤカメラを備えた小型の調整補助
装置が提案されている（例えば、特許文献１）。
【０００３】
【特許文献１】特開２００４−４５６２号公報
【発明の開示】
【発明が解決しようとする課題】
【０００４】
ところで、現在の激しく変動する市場要求に応じるために、製造ラインを迅速に増設す
る必要がある場合がある。このとき、プロジェクタの調整用の調整補助装置も増設する必
要がある場合がある。
しかし、上述の技術においては、例えば、収束レンズ、透過型スクリーン、ＣＣＤカメ
ラという部材を調達する必要があり、迅速に調整補助装置を増設できない場合がある。ま
た、多数の調整補助装置を増設するための収束レンズ等の部材の調達コストが過大となる
場合がある。
【０００５】
そこで、本発明は、プロジェクタ検査用の調整補助装置であって、市場要求に応じて迅
速に配備することができ、かつ、増設コストが低廉であり、さらに、配備のためのスペー
スを小さくできる調整補助装置を提供することを目的とする。
【課題を解決するための手段】
【０００６】
前記目的は、第１の発明によれば、プロジェクタの光軸とコントラスト調整用の調整補
助装置であって、暗室と、前記暗室の外側に配置され、半製品のプロジェクタを載置する
ための検査用架台を有し、前記暗室は、スクリーンが配置されるスクリーン配置部と、前
記スクリーン配置部に対向する作業用開口と、側壁部と、底部と、天井部と、を有し、前
記作業用開口と前記スクリーン配置部との距離は、前記プロジェクタが前記スクリーンに
対して投射光を投射して像を形成するために必要な距離に基づいて規定されており、前記
検査用架台は、前記プロジェクタを配置するプロジェクタ配置部と、前記プロジェクタを
覆うプロジェクタ保護部材と、前記プロジェクタ保護部材内に清浄化した空気を送風する
ための空気清浄化装置と、を有し、前記プロジェクタ配置部は、前記プロジェクタが配置
されたときに、前記プロジェクタの投射レンズが前記作業用開口が形成する面と接する位
置として規定されていることを特徴とする調整補助装置により達成される。
【０００７】
第１の発明の構成によれば、前記検査用架台は、前記暗室の外側に配置される。これに
よって、前記暗室の大きさを小さくすることができる。
また、前記作業用開口と前記スクリーン配置部との距離は、前記プロジェクタが前記ス
クリーンに対して投射光を投射して像を形成するために必要な距離に基づいて規定されて
いる。これは、上述の検査をするために必要十分な距離を確保しつつ、奥行き方向におい
て、無駄なスペースを排除していることを意味する。
また、前記調整補助装置は、前記プロジェクタ保護部材及び前記空気清浄化装置を有す
る。これは、前記プロジェクタ保護部材内の空気を清浄化することによって、半製品の前
記プロジェクタの内部に塵埃等が付着することを防止することができることを意味する。
また、前記空気清浄化装置を前記暗室内に配置する必要はないから、前記暗室の大きさ
を小さくすることができる。また、前記プロジェクタ保護部材内の空間は、前記暗室内の
空間よりも狭いから、前記空気清浄化装置自体、より小型でもよい。このため、前記調整
補助装置全体の大きさを小さくすることができる。
さらに、前記プロジェクタ配置部は、前記プロジェクタが配置されたときに、前記プロ
ジェクタの投射レンズが前記作業用開口が形成する面と接する位置として規定されている
。このため、前記プロジェクタを前記暗室の外に置き、前記プロジェクタからの投射光を
前記暗室内に入射させることができる。
前記調整補助装置は、その大きさ及び形状を規定するだけで構成でき、収束レンズや透
過型スクリーン、ＣＣＤカメラ等の部材を調達する必要はないから、市場要求に応じて迅
速に配備することができ、かつ、増設コストが低廉である。
このように、前記調整補助装置は、市場要求に応じて迅速に配備することができ、かつ
、増設コストが低廉であり、さらに、配備のためのスペースを小さくできる。
【０００８】
第２の発明は、第１の発明の構成において、前記プロジェクタ配置部には、光の反射を
防止するための遮光板が配置されており、前記遮光板は、前記投射レンズから投射される
投射光を通過させる入射孔を有することを特徴とする調整補助装置である。
【０００９】
第２の発明の構成によれば、前記調整補助装置は前記遮光板を有するから、不要な光が
検査の障害となることを防止しつつ、前記投射レンズからの投射光を前記暗室内に入射さ
せることができる。
【００１０】
第３の発明は、第１の発明の構成において、前記暗室は、前記作業用開口に配置された
遮光カーテンを有し、前記遮光カーテンは、前記プロジェクタからの投射光を通過させる
ための入射用開口を有し、前記プロジェクタ配置部は、前記プロジェクタが配置されたと
きに、前記プロジェクタの投射レンズが前記遮光用カーテンの前記入射用開口に対応する
位置として規定されていることを特徴とする調整補助装置である。
【００１１】
第３の発明の構成によれば、前記プロジェクタ配置部は、前記プロジェクタが配置され
たときに、前記プロジェクタの投射レンズが前記遮光用カーテンの前記入射用開口に対応
する位置として規定されている。このため、前記プロジェクタを前記暗室の外に置き、前
記プロジェクタからの投射光のみを前記暗室内に入射させることができる。
【発明を実施するための最良の形態】
【００１２】
以下、この発明の好適な実施の形態を添付図面等を参照しながら、詳細に説明する。
尚、以下に述べる実施の形態は、本発明の好適な具体例であるから、技術的に好ましい
種々の限定が付されているが、本発明の範囲は、以下の説明において特に本発明を限定す
る旨の記載がない限り、これらの態様に限られるものではない。
【００１３】
（実施の形態）
図１は、本発明の実施の形態に係る検査装置８を示す概略側面図である。検査装置８は
、後述のプロジェクタ１００（図５参照）の半製品の光軸調整及びコントラスト調整用の
検査装置である。検査装置８は、調整補助装置の一例である。
図２は、暗室１０を示す概略斜視図である。暗室１０は、暗室の一例である。
図３は、作業机３０等を示す概略図である。作業机３０は、検査用架台の一例である。
作業机３０には、プロジェクタ１００が配置される。
図４は、検査装置８を示す概略平面図である。
検査装置８においては、プロジェクタ１００からスクリーン５０に投影された像を観測
して、光軸があっているか否かを検査する。その検査結果によって、プロジェクタ１００
内部の部品の位置等を調整する。検査装置８においては、また、投影された像のコントラ
ストを観測して、コントラストが許容範囲外であれば、プロジェクタ１００内部の部品の
位置等を調整する。
【００１４】
（プロジェクタ１００の構成について）
図５は、検査装置８において検査の対象となるプロジェクタ１００の概観の一例を示す
概略斜視図である。
図６は、プロジェクタ１００を構成する光学ユニット４の主な部品を示す概略図である
。
まず、プロジェクタ１００の構成を簡単に説明する。
【００１５】
図５に示すように、プロジェクタ１００は筐体１００ａと投射レンズ１００ｂ等を有す
る。
図６に示すように、プロジェクタ１００の光学ユニット４は、インテグレータ照明光学
系４１、色分離光学系４２、リレー光学系４３、光変調光学系及び色合成光学系を一体化
した光学装置（光学装置）４４、及び、投射レンズ１００ｂを有する。
【００１６】
インテグレータ照明光学系４１は、光学装置４４を構成する３枚の液晶パネル４４１（
赤、緑、青の色光ごとにそれぞれ液晶パネル４４１Ｒ，４４１Ｇ，４４１Ｂとする）の画
像形成領域を略均一に照明するための光学系である。インテグレータ照明光学系４１は、
光源装置４１１、第１レンズアレイ４１２、第２レンズアレイ４１３、偏光変換素子４１
４、及び重畳レンズ４１５を備える。
【００１７】
色分離光学系４２は、２枚のダイクロイックミラー４２１，４２２と、反射ミラー４２
３を有する。ダイクロイックミラー４２１，４２２は、インテグレータ照明光学系４１か
ら射出された複数の部分光束を赤（Ｒ）、緑（Ｇ）、青（Ｂ）の３色の色光に分離する機
能を有している。
【００１８】
リレー光学系４３は、入射側レンズ４３１と、リレーレンズ４３３と、反射ミラー４３
２，４３４とを備え、色分離光学系４２で分離された色光である赤色光を液晶パネル４４
１Ｒまで導く機能を有している。
【００１９】
光学装置４４は、入射された光束を画像情報に応じて変調してカラー画像を形成する機
能を有する。光学装置４４は、色分離光学系４２で分離された各色光が入射される３つの
入射側偏光板４４２と、各入射側偏光板４４２の後段に配置される光変調装置としての液
晶パネル４４１Ｒ，４４１Ｇ，４４１Ｂと、各液晶パネル４４１Ｒ，４４１Ｇ，４４１Ｂ
の後段に配置される射出側偏光板４４３と、色合成光学系としてのクロスダイクロイック
プリズム４４４（以後、「プリズム４４４」と呼ぶ）を有する。
【００２０】
各液晶パネル４４１Ｒ，４４１Ｇ，４４１Ｂは、例えば、ポリシリコンＴＦＴをスイッ
チング素子として用いたものである。
入射側偏光板４４２は、色分離光学系４２で分離された各色光のうち、一定方向の変更
光のみ透過させ、その他の光束を吸収するものである。入射側偏光板４４２は、サファイ
アガラス等の基板に偏光膜が貼付されたものである。
射出側偏光板４４３も、入射側偏光板４４２と略同様に構成され、液晶パネル４４１（
４４１Ｒ，４４１Ｇ，４４１Ｂ）から射出された光束のうち、所定方向の偏光光のみ透過
させ、他の光束を吸収するものである。
入射側偏光板４４２と射出側偏光板４４３は、互いの偏光軸の方向が直交するように設
定されている。
【００２１】
プリズム４４４は、射出側偏光板４４３から射出され、各色光ごとに変調された光学像
を合成してカラー画像を形成するものである。
プリズム４４４には、赤色光を反射する誘電体多層膜と青色光を反射する誘電体多層膜
とが、４つの直角プリズムの界面に沿って略Ｘ字状に設けられ、これらの誘電体多層膜に
よる３つの色光が合成される。
【００２２】
投射レンズ１００ｂは、光学装置４４のプリズム４４４で合成されたカラー画像を拡大
して、外部のスクリーン５０に投射するものである。
図４に示すように、投射レンズ１００ｂから投射される光束は、次第に広がってスクリ
ーン５０に到達する。
検査装置８においては、プロジェクタ１００の筐体１００ａを外した状態（半製品の状
態）で、光軸の検査及びコントラストの検査を行う。
重畳レンズ４１５及びリレーレンズ４３３の光軸、及び、反射ミラー４３２，４３４に
て反射された光束の光軸が、所定の照明光軸に合致している場合（以下、「光軸が合致し
ている場合」と呼ぶ）には、スクリーン５０には、白色のみの像が形成される。ところが
、光軸が合致していない場合には、スクリーン５０には、白色のみの像ではなくて、着色
領域が形成される。具体的には、青の光軸がずれていれば、スクリーン５０には黄色の像
として現れる。緑の光軸がずれていれば、スクリーン５０にはマゼンタの像として現れる
。赤の光軸がずれていれば、スクリーン５０にはシアンの像として現れる。スクリーン５
０の像の色を観測して、重畳レンズ４１５等の位置や設置角度を調整することを光軸調整
と呼ぶ。
入射側偏光板４４２と射出側偏光板４４３の位置や設置角度によっては、光束を遮断で
きない場合がある。そこで、コントラスト調整においては、スクリーン５０の中心に配置
した照度計（図示せず）の値を見ながら、最も値が小さくなるように、入射側偏光板４４
２と射出側偏光板４４３の位置や角度を調整する。
【００２３】
（検査装置８の構造）
図１に示すように、検査装置８は、暗室１０と作業机３０を有する。作業机３０には、
プロジェクタ１００が載置される。プロジェクタ１００は、図４に示すプロジェクタ配置
部Ｐに配置される。プロジェクタ配置部Ｐは、プロジェクタ配置部の一例である。
プロジェクタ配置部Ｐは、プロジェクタ１００が配置されたときに、プロジェクタ１０
０の投射レンズ１００ｂが、作業用開口１２が形成する面と接する位置として規定されて
いる。
作業机３０は保護カバー３４を有する（図１、図３及び図４参照）。プロジェクタ１０
０は、保護カバー３４内に格納されている。保護カバー３４は、プロジェクタ保護部材の
一例である。図３（ａ）に示すように、保護カバー３４は、投射レンズ対応孔３４ａを有
し、プロジェクタ１００の投射レンズ１００ｂだけを、保護カバー３４外に露出すること
ができるように構成されている。また、作業机３０には、暖気運転用のプロジェクタ１０
０Ａも配置されている。プロジェクタ１００の調整が終了した後に、このプロジェクタ１
００Ａの調整を行うことができるようになっている。
【００２４】
作業机３０には、ＦＦＵ（Ｆｉｌｔｅｒ  Ｆａｎ  Ｕｎｉｔ）４０が配置される（図３
及び図４参照）。ＦＦＵ４０は、保護カバー３４内に清浄化した空気を送風するための小
型の空気清浄機である。ＦＦＵ４０は、空気清浄化装置の一例である。
【００２５】
図２に示すように、暗室１０は、スクリーン５０（図４参照）が配置されるスクリーン
配置壁１６を有する。スクリーン配置壁１６は、スクリーン配置部の一例である。
また、暗室１０は、作業用開口１２を有する。作業用開口１２は、スクリーン配置壁１
６に対向して配置されている。作業用開口１２は、作業用開口の一例である。作業用開口
１２には遮光カーテン１３が配置されており、検査目的に応じて開閉される。具体的には
、光軸調整時には遮光カーテン１３を開放する。そして、コントラスト調整時には、遮光
カーテン１３を閉鎖する。
遮光カーテン１３は、入射用開口１３ａを有する。入射用開口１３ａは、プロジェクタ
１００の投射レンズ１００ｂからの投射光Ｓ（図１参照）を通過させるための構成である
。入射用開口１３ａは入射用開口の一例である。
【００２６】
作業用開口１２とスクリーン配置壁１６との距離ｄ１（図１参照）は、プロジェクタ１
００がスクリーン５０に対して、投射光Ｓを投射して像を形成するために必要な距離（焦
点距離）に基づいて規定されている。すなわち、距離ｄ１は、焦点距離に、プロジェクタ
１００を配置するために必要な距離を加えた距離である。
【００２７】
また、暗室１０は、側壁１８Ａ及び１８Ｂ、底部１４及び天井２０を有する。側壁１８
Ａ及び１８Ｂは側壁部の一例である。底部１４は底部の一例である。天井２０は天井部の
一例である。
【００２８】
プロジェクタ配置部Ｐは、作業机３０にプロジェクタ１００が配置されたときに、投射
レンズ１００ｂが遮光カーテン１３の入射用開口１３ａ（図２参照）に対応する位置とし
て規定されている。このため、遮光カーテン１３は、投射レンズ１００ｂからの投射光Ｓ
の通過を妨げることはない。
【００２９】
また、作業机３０には、遮光板３２（図３参照）が配置されている。
図３（ｂ）に示すように、遮光板３２は、入射孔３２ａを有する。入射孔３２ａは入射
孔の一例である。
また、遮光板３２は、光の反射を防止する性質を有する。この遮光板３２は遮光板の一
例である。
この入射孔３２ａの位置はプロジェクタ１００が作業机３０に配置されたときに、投射
レンズ１００ｂと対応するようになっている。具体的には、投射レンズ１００ｂの先端部
分は遮光板３２と接する。そして、投射光Ｓは入射孔３２ａを通過して、暗室１０内部に
侵入する。
図３（ｂ）に示すように、遮光板３２の形状は、遮光カーテン１３の入射用開口１３ａ
よりも大きい。そして、検査机３０にプロジェクタ１００が配置された状態において、遮
光板３２と遮光カーテン１３は接している。このため、入射用開口１３ａの形状を投射レ
ンズ１００ｂの形状よりも大きく形成した場合であっても、遮光板３２によって、外部の
光が暗室１０内に侵入することを防止することができる。
【００３０】
検査装置８は、上述のように構成されている。
プロジェクタからスクリーンに投射された投射像を観測して行う検査においては、暗室
は投射光が通過できれば十分である。プロジェクタを暗室内に配置する必要はない。また
、検査担当者が暗室内で検査作業する必要もない。特に、近時、プロジェクタの光源の性
能が向上しており、検査担当者は暗室外に位置して暗室内のスクリーンを観測しても、検
査目的を達成することができるようになっている。具体的には、従来約８００ＡＮＳＩ（
Ａｍｅｒｉｃａｎ  Ｎａｔｉｏｎａｌ  Ｓｔａｎｄａｒｄｓ  Ｉｎｓｔｉｔｕｔｅ）ルー
メンであった輝度が、現在では、２０００乃至３０００ＡＮＳＩルーメンに向上している
。なお、ＡＮＳＩルーメンとは、ＡＮＳＩ（米国規格協会）で統一されたプロジェクター
の輝度を表す単位である。
この点、検査装置８によれば、作業机３０は、暗室１０の外側に配置される。これによ
って、暗室１０の大きさを小さくすることができる。
また、作業用開口１２とスクリーン配置壁１６との距離は、プロジェクタ１００がスク
リーン５０に対して投射光を投射して像を形成するために必要な距離として規定されてい
る。これは、上述の検査をするために必要十分な距離を確保しつつ、奥行き方向において
、無駄なスペースを排除していることを意味する。
また、検査装置８は、プロジェクタ保護カバー３４及びＦＦＵ４０を有する。これは、
プロジェクタ保護カバー３４内の空気を清浄化し、半製品のプロジェクタ１００に塵埃等
が付着することを防止することができることを意味する。
また、ＦＦＵ４０を暗室１０内に配置する必要はないから、暗室１０の大きさを小さく
することができる。また、プロジェクタ保護カバー３４内の空間は、暗室１０内の空間よ
りも狭いから、ＦＦＵ４０自体、より小型でもよい。このため、検査装置８全体の大きさ
を小さくすることができる。
さらに、プロジェクタ配置部Ｐは、プロジェクタ１００が配置されたときに、プロジェ
クタ１００の投射レンズ１００ｂが作業用開口１２が形成する面と接する位置として規定
されている。このため、プロジェクタ１００を暗室１０の外に置き、プロジェクタ１００
からの投射光を暗室１０内に入射させることができる。
検査装置８は、その大きさ及び形状を規定するだけで構成でき、収束レンズや透過型ス
クリーン、ＣＣＤカメラ等の部材を調達する必要はないから、市場要求に応じて迅速に配
備することができ、かつ、増設コストが低廉である。
このように、検査装置８は、市場要求に応じて迅速に配備することができ、かつ、増設
コストが低廉であり、さらに、配備のためのスペースを小さくできる。
【００３１】
また、作業机３０は遮光板３２を有するから、不要な光が検査の障害となることを防止
しつつ、投射レンズ１００ｂからの投射光を暗室１０内に入射させることができる。
【００３２】
さらに、プロジェクタ配置部Ｐは、プロジェクタ１００が配置されたときに、プロジェ
クタ１００の投射レンズが遮光用カーテン１３の入射用開口１３ａに対応する位置として
規定されている。このため、プロジェクタ１００を暗室１０の外に置き、プロジェクタ１
００からの投射光のみを暗室内に入射させることができる。
【００３３】
本発明は、上述の各実施の形態に限定されない。さらに、上述の各実施の形態は、相互
に組み合わせて構成するようにしてもよい。
【図面の簡単な説明】
【００３４】
【図１】本発明の実施の形態に係る検査装置を示す概略側面図。
【図２】暗室を示す概略斜視図。
【図３】作業机等を示す概略図。
【図４】検査装置を示す概略平面図。
【図５】プロジェクタの概観の一例を示す概略斜視図。
【図６】プロジェクタを構成する光学ユニットの主な部品を示す概略図。
【符号の説明】
【００３５】
８…検査装置、１０…暗室、１２…作業用開口、１４…底部、１６…スクリーン配置壁
、１８Ａ，１８Ｂ…側壁、２０…天井、５０…スクリーン、１００…プロジェクタ、１０
０ｂ…投射レンズ。
【図１】
2007249145.tif 000003
【図２】
2007249145.tif 000004
【図３】
2007249145.tif 000005
【図４】
2007249145.tif 000006
【図５】
2007249145.tif 000007
【図６】
2007249145.tif 000008